(57)【要約】【課題】  一度物品を収納した後に物品の移動が容易に行うことができる物品収納装置を提供すること。【解決手段】  無線タグが取り付けられた物品８を吊り下げて収納する物品収納装置において、開口部を有する箱体３と、この箱体３内に物品８を吊り下げて保持するシャフト部材４，５とを具備し、このシャフト部材には軸方向に所定間隔で複数の溝４ａ，４ｂが形成されていることを特徴とする。【選択図】      図１
2006016112.tif 000002
【特許請求の範囲】
【請求項１】
無線タグが取り付けられた物品を吊り下げて収納する物品収納装置において、
開口部を有する箱体と、
この箱体内に上記物品を吊り下げて保持するシャフト部材とを具備し、
このシャフト部材には軸方向に所定間隔で複数の溝が形成されていることを特徴とする物品収納装置。
【請求項２】
前記シャフト部材は上記箱体に回転自在に保持されており、このシャフト部材を回転することにより前記シャフト部材と前記物品の係合が解除されることを特徴とする請求項1記載の物品収納装置。
【請求項３】
前記溝に１対１に対応して無線タグ用アンテナが配設されていることを特徴とする請求項1記載の物品収納装置。
【発明の詳細な説明】
【技術分野】
【０００１】
本発明は、郵便局に持ち戻った例えば記録扱い郵便物を入れた収納ケースのような物品を収納する物品収納装置に関する。
【背景技術】
【０００２】
郵便物の一つに記録扱い郵便物がある。この記録扱い郵便物は、受取人が不在の場合には郵便局に戻されて保管される。そして受取人が後で郵便局に出向いたときに、所定の本人確認を行った後に受取人に手渡される。ところで、郵便局に戻された郵便物は所定の棚に収納されて保管されている。このため、受取人が持参した不在配達票に記載されているお知らせ番号をキーとして局員が棚から該当する郵便物を手作業により検索していた。
【０００３】
なお、ファイル等の被検索物の保管位置及び保管状態をコンピュータ本体の画面において管理するようにしたファイル等被検索物の個別検索装置が知られている（例えば、特許文献１参照）。
【特許文献１】特許第2593319号
【発明の開示】
【発明が解決しようとする課題】
【０００４】
このように郵便局員が手作業により不在配達の郵便物を検索していたため、その作業に時間がかかるという問題があった。
【０００５】
そこで、不在配達の郵便物を検索する場合に、その郵便物を無線タグが貼られた収納ケースに入れた後、仕切り壁が設けられた棚に該収納ケースを入れて保管し、無線タグ用アンテナからの電波を無線タグに放射することにより対象とする郵便物を検索することが考えられている。
【０００６】
しかし、仕切り壁が設けられた棚に収納ケースを保管するようにすると、複数の収納ケースを纏めて他の棚に移動させるのは煩雑であった。実際、郵便物の配達日付で纏めて棚に保管している場合には、このような移動を行う機会が存在する。
【０００７】
本発明は上記の点に鑑みてなされたもので、その目的は、一度物品を収納した後に物品の移動が容易に行うことができる物品収納装置を提供することにある。
【課題を解決するための手段】
【０００８】
本発明の物品収納装置は、無線タグが取り付けられた物品を吊り下げて収納する物品収納装置において、開口部を有する箱体と、この箱体内に上記物品を吊り下げて保持するシャフト部材とを具備し、このシャフト部材には軸方向に所定間隔で複数の溝が形成されていることを特徴とする。
【発明の効果】
【０００９】
本発明によれば、物品を吊り下げて保持するシャフト部材には、軸方向に所定間隔で複数の溝が形成しておき、このシャフト部材を回転させることにより、物品とシャフト部材との係合あるいは係合の解除を行うことができる。物品とシャフト部材の係合を解除した場合には、物品をシャフト部材に吊り下げた状態でシャフト部材の軸方向に移動させることができる。
【発明を実施するための最良の形態】
【００１０】
以下、図面を参照して本発明の一実施の形態について説明する。図１は本発明に係る物品収納装置を採用した物品検索システムについて説明する。図において、１は物品収納装置である。この物品収納装置１は、開口部２を有する箱体３で構成されている。
【００１１】
この箱体３の開口部２に面した対向する２つの面において、２つのシャフト部材４，５が回転自在に保持されている。なお、６及び７はそれぞれシャフト部材４，５を箱体３の外側から回転させるための操作ノブである。
【００１２】
各シャフト部材４，５は軸方向に沿って所定間隔で断面Ｄ形状に切り欠いた切欠部４ａ，４ｂが形成されている。
【００１３】
これら切欠部４ａ，５ａは、シャフト部材４，５の軸方向をｘ軸方向とすると、ｘ軸方向に沿って互いに同じ位置に形成されている。これにより、図示のように物品としての無線タグ付き収納ケース８を切欠部４ａ及び４ｂに係合させることができる。この無線タグ付き収納ケース８の詳細な構成は図３を参照して後述する。
【００１４】
上記箱体３の底板３ａには、上記切欠部４ａ及び４ｂの位置と対応する位置にランプ９がそれぞれ取り付けられている。また、開口部２と対向する背面１１ａには、上記切欠部４ａ及び４ｂの位置と対応する位置にそれぞれ図２に示すように無線タグ用アンテナ２１が取り付けられている。この無線タグ用アンテナ２１は無線タグ付き収納ケース８の背面に貼り付けられた無線タグ２２に対して指向性の強い電波を発信する。従って、無線タグ用アンテナ２１と無線タグは１対１の関係で配設されている。言い換えれば、シャフト部材４，５の切欠部４ａ，５ａは無線タグ用アンテナ２１と１対１の関係で配設されている。
【００１５】
この物品収納装置１にはホストコンピュータ１１が接続されている。
【００１６】
次に、図３を参照して収納ケース８の詳細な構成について説明する。この無線タグ付き収納ケース８は郵便物１２を収納する収納部１３と、収納ケース８をシャフト部材４，５に引っ掛けて保持するための保持部１４とから構成される。この保持部１４には、シャフト部材４とシャフト部材５との間隔と略等しい間隔で断面長方形状の切欠部１４ａ，１４ｂが形成されている。さらに、収納部１３の背面には無線タグ２２が貼り付けられている。この無線タグ２２は、収納ケース８を物品収納装置１に収納させたときに、無線タグ２２と無線タグ用アンテナ２１が対向する位置に来るように貼り付けられている。
【００１７】
ところで、収納ケース８は矢印Ａ方向に沿うように物品収納装置１に挿入させることにより、保持部１４の切欠部１４ａ，１４ｂとシャフト部材４，５に形成された切欠部４ａ，４ｂとを係合させ、収納ケース８をシャフト部材４，５に吊り下げて保持している。図３のように係合されている状態では、収納ケース８のシャフト部材４，５の軸方向への移動は規制される。
【００１８】
つまり、図４（ａ）に示すように、保持部１４の切欠部１４ａ，１４ｂとシャフト部材４，５に形成された切欠部４ａ，４ｂとが係合している状態では、収納ケース８のシャフト部材４，５の軸方向への移動は規制される。
【００１９】
一方、操作ノブ６，７をそれぞれ回転させることにより、各シャフト部材４，５に形成された切欠部４，５いずれも図４（ｂ）に示すように図４（ａ）に示した位置から１８０度回転させた位置にする。この状態では、収納ケース８の保持部１４の側面は、切欠部４ａ，４ｂに当接しないため、収納ケース８はシャフト部材４，５の軸方向に移動可能である。
【００２０】
次に、図５を参照して無線タグリーダ３１の要部構成について説明する。無線タグリーダ３１は上位端末、つまりホストコンピュータ１１とのインタフェースを行うインタフェース部３２、ＣＰＵ、ＲＯＭ、ＲＡＭ等で構成される制御部３３、無線タグ２２への送信データを変調する変調部３４、変調電波を増幅してアンテナ２２１〜２２ｎから放射させる送信アンプ３５、アンテナ２２１〜２２ｎで受信した電波を増幅する受信アンプ３６及び増幅された受信電波を復調する復調部３７等で構成される。
【００２１】
アンテナ２２１〜２２ｎはそれぞれ切換えスイッチ３８１〜３８ｎを介して送信アンプ３５及び受信アンプ３６に接続されている。この切換えスイッチ３８１〜３８ｎは制御部３１からの切換え信号に応じて切り換えられる。
【００２２】
なお、３９１〜３９ｎは各収納部１４に対応して設けられた前述したランプ９を意味する。これらランプ３９１〜３９ｎの点灯制御は制御部３３により行われる。
【００２３】
次に、図５を参照して無線タグ２２の内部構成を示す。無線タグ２２は、送受信可能なタグアンテナ４１とＬＳＩチップ４２とを基板と一体成形した独立の部品である。タグアンテナ４１は、矩形状に成形されたループコイル等からなる。ＬＳＩチップ４２は、タグアンテナ４１で受信した変調電波の整流と安定化を行うことによりＬＳＩチップ４２の各部に電源を供給する電源生成部４３、上記変調電波を復調して制御部４６へ送信する復調部４４、制御部４６から送信されたデータを変調してタグアンテナ４１に送信する変調部４５、復調部４４で復調されたデータのメモリ４７への書き込みや、メモリ４７から送信データを読み出して変調部４５へ送出する制御部４６及びメモリ４７等で構成されている。メモリ４７には、当該無線タグ２２の製造段階で製造業者により割当て設定された固有の無線ＩＤ（ＲＦＩＤ）を記憶する無線ＩＤエリアと、ユーザで任意のデータを書き込むことができるユーザエリアとが形成されている。
【００２４】
次に、図６を用いてホストコンピュータ１１の構成について説明する。ホストコンピュータ１１はＣＰＵ５１を中心に構成されている。ＣＰＵ５１のシステムバスには、ＲＯＭ５２、ＲＡＭ５３、入力部５４、表示部５５、バーコードリーダ５６、インタフェース５７、無線タグリーダ５８が接続される。このインタフェース５７は前述した無線タグリーダ３１のインタフェース３２に接続される。
【００２５】
次に、上記のように構成された本発明の一実施の形態の動作について説明する。受取人が不在のため郵便局に持ち戻された郵便物は、図１の無線タグ付き収納ケース８に収納された後、物品収納装置１に収納されて保管される。この際、局員は以下の示す手順により郵便物を物品収納装置１に収納させている。
【００２６】
まず、持ち戻った郵便物をどの無線タグ付き収納ケース８に収納したかをホストコンピュータ１１に登録する作業を行う。受取人が不在の場合には、郵便局員は不在配達票を受取人の所に置いて来る。その不在配達票には、郵便物を特定するためのお知らせ番号が記載されている。また、郵便局員はお知らせ番号が記載された用紙を郵便物に貼り付けて郵便局に持ち戻る。そして、ホストコンピュータ１１に備えられているバーコードリーダ５６によりその用紙に記載されているお知らせ番号をバーコードリーダで読み取り、無線タグ付き収納ケース８に取り付けられている無線タグ２２の固有無線ＩＤ（ＲＦＩＤ）を無線タグリーダ５８で読み取り、固有無線ＩＤとお知らせ番号とを図８に示すように対応付けてＲＡＭ５３に記憶させる処理を行う。
【００２７】
そして、郵便局員は郵便物を収納した無線タグ付き収納ケース８を物品収納装置１の空いている切欠部４ａ，４ｂに挿入する。このように、無線タグ付き収納ケース８を収納部１４に収納すると、無線タグ２２は図２に示すように無線タグ用アンテナ２１と対向するように位置する。
【００２８】
以下、同様にして郵便局員が持ち戻った郵便物は同様の処理を経て物品収納装置１に納される。
【００２９】
次に、受取人が不在配達票を持参して郵便局に郵便物を受け取りに来たときの処理について説明する。
【００３０】
まず、郵便局員は不在配達票に記載されているお知らせ番号を入力部５４から入力する。すると、ホストコンピュータ１１は入力部５４から入力されたお知らせ番号に対応する郵便物が収納された無線タグ付き収納ケース８に取り付けられている無線タグ２２の固有無線番号をＲＡＭ５３に記憶されている図７のテーブルを検索することにより求める。
【００３１】
次に、検索すべき郵便物を収納した無線タグ付き収納ケース１３に取り付けられた無線タグ２２のＲＦＩＤの固有無線番号が判明すると、このＲＦＩＤを検索用ＩＤとして該当する無線タグ付き収納ケース８を検索する処理を行う。
【００３２】
つまり、無線タグリーダ３１の制御部３３は切換えスイッチ３８１〜３８ｎを順番に１つずつオンする処理を行う。これにより、背面１１ａに設けられた無線タグ用アンテナ２１から順番に電波が放射される。この無線タグ用アンテナ２１から放射される電波は指向性が強いので、無線タグアンテナ２１と対向した面に取り付けられている無線タグ２２で受信される。
【００３３】
そして、このように放射された電波の問いかけに応答して、無線タグ２２は自己のＲＦＩＤを無線タグリーダ３１に返信する。そして、制御部３３は無線タグ２２から返送されたＲＦＩＤが問い合わせたＲＦＩＤと一致しているかを検索する。そして、一致していると判断した場合には、対応するランプ９を点灯あるいは点滅させる処理を行う。つまり、
このようにして、検索している郵便物を収納している無線タグ付き収納ケース８が収納されている場所をランプ９を点灯あるいは点滅させることにより郵便局員に知らせることができるので、郵便局員は容易に郵便物を検索することができる。
【００３４】
ところで、郵便局での日次処理で、物品収納装置１に収納されている無線タグ付き収納ケース８を移動させる場合がある。例えば、物品収納装置１には不在配達日毎に纏まって無線タグ付き収納ケース８が収納されている。従って、日が経過すると不在配達日毎に纏まって収納されている無線タグ付き収納ケース８を纏めて移動する作業が発生する。このような場合には、操作ノブ６，７をそれぞれ回転させることにより、各シャフト部材４，５に形成された切欠部４，５いずれも図４（ｂ）に示すように図４（ａ）に示した位置から１８０度回転させた位置にする。この状態では、収納ケース８の保持部１４の側面は、切欠部４ａ，４ｂに当接しないため、収納ケース８はシャフト部材４，５の軸方向に移動可能である。このように図４（ｂ）に示した状態では、収納ケース８は自由にシャフト部材４，５の軸方向に移動させることができる。従って、収納ケース８を壁で仕切られた棚に１つずつ収納しておいたような場合には、一々収納ケース８を取り出してから再度挿入するという手間があるが、本願発明に係る物品収納装置１では、収納ケース８の移動を容易に行うことができる。
【００３５】
次に、保管する郵便物が多い場合には、図９に示すように、ホストコンピュータ１１に複数の物品収納装置１０１〜１０ｎを接続する。そして、郵便物を物品収納装置１０１〜１０ｎに収納させる際に、どの物品収納装置に収納されているかの情報を得ておくとよい。このように物品収納装置に収納されているかの情報を予め得ておくことにより、ホストコンピュータ１１に複数の物品収納装置が接続されている場合でも速く郵便物を検索することができる。
【００３６】
例えば、複数の物品収納装置に郵便物を保管する場合には、例えば地域毎に区分すると共に、その地域内では配達した日付毎に保管される。
【００３７】
なお、上記実施の形態ではＲＦＩＤを検索ＩＤとして使用したが、ＲＦＩＤに限らず無線タグ２２に別のＩＤを書き込んでおくことにより、この別のＩＤを検索ＩＤとして使用しても良い。
【００３８】
さらに、報知手段としては、ランプに限らず音で知らせるようにしても良く、音とランプで知らせるようにしても良い。
【００３９】
なお、上記した実施の形態では、シャフト部材４，５にそれぞれ切欠部４，５を設けたが、シャフト部材４に切欠部４を設け、シャフト部材５には切欠部５を設けないようにしても良い。
【００４０】
さらに、シャフト部材４の回転をシャフト部材５の回転に伝達する伝達機構を設け、シャフト部材４あるいは５を回転させることにより、他方のシャフト部材を同じように回転させるようにしても良い。また、シャフト部材の総数も２本に限るものではない。
【００４１】
上記実施の形態では、物品として郵便物を収納する無線タグ付き収納ケース８を採用したが、物品として特に無線タグ付き収納ケースに限るものではない。
【図面の簡単な説明】
【００４２】
【図１】本発明の一実施の形態に係る物品収納装置の斜視図。
【図２】同物品収納装置の要部を示す図。
【図３】同物品収納装置に収納ケースを収納する動作を説明するための斜視図。
【図４】図４（ａ）は同物品収納装置のシャフト部材に収納ケースを係合させた状態を示す図、図４（ｂ）はその係合状態を解除した状態を示す図。
【図５】同実施の形態に係わる無線タグリーダの構成を示す図。
【図６】同実施の形態に係わる無線タグの要部構成を示す図。
【図７】同実施の形態に係わるホストコンピュータの構成を示すブロック図。
【図８】同実施の形態に係わる固有無線ＩＤとお知らせ番号との関係を示すテーブルを示す図。
【図９】本発明の他の実施の形態に係わる郵便物検索システムのシステム構成を示す図。
【符号の説明】
【００４３】
１…物品収納装置、４，５…シャフト部材、４ａ，４ｂ…切欠部、６，７…操作ノブ、
２２…無線タグ、２２１〜２２ｎ…アンテナ、３８１〜３８ｎ…切換えスイッチ。
【図１】
2006016112.tif 000003
【図２】
2006016112.tif 000004
【図３】
2006016112.tif 000005
【図４】
2006016112.tif 000006
【図５】
2006016112.tif 000007
【図６】
2006016112.tif 000008
【図７】
2006016112.tif 000009
【図８】
2006016112.tif 000010
【図９】
2006016112.tif 000011